(57)【要約】【課題】ＡＤＦでエラーが発生した場合にそのエラー状況とエラーの解除方法をオペレータに分かり易く表示する原稿読取装置を提供する。【解決手段】原稿の両面読み取りの場合で、複合機のＡＤＦに設けられた検出センサＤＳ１が原稿を検出し、且つスタートキーが押されたにもかかわらず、検出センサＤＳ２がＯＮにならない場合、原稿詰まりのエラーであるので、表示部の表示が（ａ）の表示に切り替わる。この表示では、エラーの状況として“原稿づまりです”が、そのエラーの解除方法として“点滅箇所のカバーを開けて確認して下さい”が、同時に同一画面に並べて表示される。また、ジャムを表すアイコンが上部に表示されるとともに、複合機全体の外観斜視図が表示され、その複合機の斜視図においてエラー解除のために操作する必要のある原稿カバーが点滅表示される。原稿カバーを開けて原稿を除去すると、（ｂ）の表示になる。【選択図】      図４
2004187032.tif 000002
【特許請求の範囲】
【請求項１】
原稿を１枚ずつ自動で読取位置に供給する原稿自動供給装置と、この原稿自動供給装置でエラーが発生した場合にエラー表示する表示部とを備えた原稿読取装置であって、
前記表示部は、原稿自動供給装置でエラーが発生した場合に、そのエラーの状況とエラーの解除方法を同時に同一画面に並べて表示することを特徴とする原稿読取装置。
【発明の詳細な説明】
【０００１】
【発明の属する技術分野】
この発明は、ファクシミリ装置やコピー装置等に使用される原稿読取装置に関する。
【０００２】
【従来の技術】
ファクシミリ装置やコピー装置等の画像形成装置では、いずれかの箇所で異常が発生した場合に、異常の復旧に関する操作手順の情報を、表示手段に文字もしくは画像により表示するのに併行して、音声出力手段からメッセージにより音声出力すること、該当箇所の発光素子を点灯させること、メッセージによる音声出力と発光素子の点灯を組み合わせること、等の技術がある（例えば、特許文献１参照）。
【０００３】
上記特許文献１では、実施形態として紙詰まりの場合のエラーメッセージ表示と復旧に関する操作手順を表示部に表示しているが、これらの表示は、画像表示部はそのままの表示状態にしておいた上で、文字表示部にてエラーメッセージ表示から復旧に関する操作手順にわたって段階的に表示している。
【０００４】
【特許文献１】
特開２００２−４０８８４
【０００５】
【発明が解決しようとする課題】
しかしながら、上記特許文献１によれば、エラーメッセージ表示から復旧に関する操作手順を段階的に表示する場合、オペレータがエラーメッセージ表示を見た後、そのエラーを解除するには最初にどうすればいいのか復旧に関する操作手順を確認するときに、（具体的には明記されていないが）何らかの操作（次の表示を見るための操作等）をする必要があり、直ぐに復旧操作に移れないもどかしさがある。
【０００６】
また、上記特許文献１では、画像形成装置での異常状態として紙詰まりが例として取り上げられているが、同じくファクシミリ装置やコピー装置等に一般的に設けられている、原稿を１枚ずつ自動で読取位置に供給する原稿自動供給装置（以下、ＡＤＦともいう）での原稿詰まりやその解除方法については、何ら記載且つ示唆されていない。
【０００７】
この発明は、そのような実状に着目してなされたものであって、ＡＤＦでエラーが発生した場合にそのエラー状況とエラーの解除方法をオペレータに分かり易く表示する原稿読取装置を提供することを目的としている。
【０００８】
【課題を解決するための手段】
前記目的を達成するために、この発明の請求項１記載の原稿読取装置は、原稿を１枚ずつ自動で読取位置に供給する原稿自動供給装置と、この原稿自動供給装置でエラーが発生した場合にエラー表示する表示部とを備えたものであって、前記表示部は、原稿自動供給装置でエラーが発生した場合に、そのエラーの状況とエラーの解除方法を同時に同一画面に並べて表示することを特徴とする。
【０００９】
これにより、オペレータは表示部の表示を見れば、ＡＤＦでのエラー状況と、エラーを解除するために次に取るべき操作を容易に認識できる。
【００１０】
なお、本発明において、ＡＤＦでのエラーは、主として原稿詰まりを想定しているが、これに限らず、何らかの部品が故障・破損した場合も含む。
【００１１】
【発明の実施の形態】
以下、実施の形態により、この発明を更に詳細に説明する。
【００１２】
その実施形態に係る原稿読取装置を備えた複合機の外観斜視図を図１に示す。この複合機１は、コピー装置とファクシミリ装置を兼用するものである。この複合機１では、本体２の上部一端側に、原稿カバー３ａを有する原稿自動供給装置（ＡＤＦ）３が配置され、本体２の上部手前側に表示部５を有する操作部４が設けられている。また、本体２の上部には、原稿載置台に載置した原稿を読み取る載置原稿読取装置（ＦＢＳ）用のブックカバー７が手前側を開閉可能にヒンジ連結されており、このブックカバー７には、原稿をＡＤＦ３に供給するときに原稿をセットする原稿供給トレイ６が配置されている。但し、これら各部は、従来の装置と機能的に差異は無いので、詳細は省略する。
【００１３】
この複合機１の構成例を示すブロック図を図２（一部）及び図３（残部）に示す。
【００１４】
図２及び図３において、ＭＰＵ（中央処理装置）１１は、当該複合機１全体を制御する機能を有する。
【００１５】
このＭＰＵ１１には、ＮＣＵ（Ｎｅｔｗｏｒｋ  Ｃｏｎｔｒｏｌ  Ｕｎｉｔ）１２、ＭＯＤＥＭ１３が接続されている。ＮＣＵ１２は、ＭＰＵ１１により制御されて、回線Ｌと当該複合機１との接続を制御すると共に、通信相手の電話番号に応じたダイヤルパルスを送出する機能及び着信を検出する機能を有する。なお、回線Ｌは一般公衆電話回線網（ＰＳＴＮ）に接続されている。ＭＯＤＥＭ１３は、送受信データの変復調、具体的には本来はデジタル信号である送信データをアナログの音声信号に変調してＮＣＵ１２を介して回線Ｌに送出し、また逆に回線ＬからＮＣＵ１２を介して受信したアナログの音声信号をデジタル信号に復調する。
【００１６】
また、ＭＰＵ１１には、読取機構部駆動回路１４、画像処理回路２０、読取用ＣＯＤＥＣ（符号化・復号器：Ｃｏｄｅｒ  ａｎｄ  Ｄｅｃｏｄｅｒ  ）２１、操作部２３（前記操作部４）、表示部２４（前記表示部５）、ＲＯＭ２５、ＲＡＭ２６、画像メモリ２７、プリンタ用ＣＯＤＥＣ２８、プリンタ画像処理回路２９が接続されている。
【００１７】
読取機構部駆動回路１４は、本体２に設けられた検出センサＤＳ１（１５），ＤＳ２（１６）の信号に基づいてステッピングモータ１７の駆動を制御する。図１において、検出センサＤＳ１（１５）は、原稿供給トレイ６に原稿がセットされたか否かを検出し、検出センサＤＳ２（１６）は、ＡＤＦ３内の原稿読取位置まで原稿の先端及び後端が達したかどうかを検出するものである。なお、検出センサ１５，１６は、図１では便宜上、拡大表示されているが、実際にはＡＤＦ３内部に設けられており、外側から見えない。
【００１８】
画像処理回路２０には、ＡＦＥ１８を介してＣＣＤ１９が接続されている。ＡＦＥ１８は、ＣＣＤ１９の出力をアナログ増幅するとともに、デジタルデータを多値化出力する。画像処理回路２０は、ＡＦＥ１８からの原稿画像の信号を処理する。読取用ＣＯＤＥＣ２１は、画像処理回路２０からの画像データを符号化し、メモリ２２や画像メモリ２７に記憶したり、画像メモリ２７に記憶された送信すべき画像データを符号化する。
【００１９】
操作部２３は、電話番号、ＦＡＸ番号を入力するためのテンキー、相手先の電話番号をワンタッチで呼び出すワンタッチキー、コピーやＦＡＸの開始等を指示するスタートキー等を有する。
【００２０】
表示部２４は、後記のように、ＡＤＦ３でのエラーの状況（原稿詰まり等）と、そのエラーの解除方法を同時に同一画面に並べて表示する他、操作部２３の操作により入力された電話番号やＦＡＸ番号、プリンタ３１のトナー残量等の種々の情報を表示する。この表示部２４としては、ＣＲＴディスプレイやＬＣＤ（液晶表示装置）が用いられる。
【００２１】
ＲＯＭ２５は、この複合機１全体の動作を制御するためのプログラム等を予め記憶してある。ＲＡＭ２６は、ＭＰＵ１１による制御に必要なデータ及び制御動作時に一時記憶が必要なデータ等を記憶する。画像メモリ２７は、ＣＣＤ１９が読み取って画像処理回路２０で画像変換された画像データを圧縮状態で記憶し、また外部から回線ＬとＭＯＤＥＭ１３を介して受信した画像データも圧縮状態で記憶する。
【００２２】
プリンタ用ＣＯＤＥＣ２８は、画像メモリ２７に記憶された圧縮状態の符号化画像データを復号する。プリンタ画像処理回路２９は、ページメモリ３０に記憶された画像データのビットイメージを介して、プリンタ３１に出力する機能を有する。プリンタ３１は、受信画像データ、ＣＣＤ１９が読み取った画像データ、又は画像メモリ２７に記憶された画像データを用紙に印字することにより記録する。
【００２３】
このように構成した複合機１において、ＦＡＸやコピーに際して原稿を読み取る場合、原稿を原稿供給トレイ６にセットする。このとき、前記したように、原稿を供給トレイ６にセットしたか否かは検出センサＤＳ１により検出される。そして、オペレータが操作部４のスタートキーを押すと、原稿が１枚ずつＡＤＦ３により読取位置に供給される。原稿が読取位置まで搬送される過程で、検出センサＤＳ２は、原稿の先端を検出するとＯＮになり、後端を検出するとＯＦＦになるように設定されている。
【００２４】
ＡＤＦ３での主なエラー状況は原稿詰まりである。すなわち、検出センサＤＳ１が原稿を検出し（ＯＮになり）、且つスタートキーが押されたにもかかわらず、検出センサＤＳ２がＯＮにならない場合（エラー状況▲１▼）、又は検出センサＤＳ２がＯＮになった後にＯＦＦにならない場合（エラー状況▲２▼）である。エラー状況▲１▼のときは、検出センサＤＳ２がＯＮになっていないので、リセットの必要はないが、エラー状況▲２▼のときは、検出センサＤＳ２がＯＮのままなので、リセットの必要がある。
【００２５】
エラー状況▲１▼のときの表示部５の表示は、例えば図４に示すようなものである。ここでは、原稿の両面を読み取る場合で、原稿詰まりのエラーが発生すると、まず図４の（ａ）に示す表示となる。この表示より明らかなように、エラーの状況として“原稿づまりです”が、そのエラーの解除方法として“点滅箇所のカバーを開けて確認して下さい”が、同時に同一画面に並べて表示される。これらの文字表示に加えて、ジャムを表すアイコンが上部に表示されるとともに、複合機全体の外観斜視図が表示され、その複合機の斜視図においてエラー解除のために操作する必要のある箇所（この場合は原稿カバー３ａ）が点滅表示される。従って、オペレータは、原稿詰まりが発生した場合に、そのエラー状況だけでなく、エラーを解除するために次に取るべき操作を容易に認識できる。
【００２６】
図４の（ａ）の表示に従い、オペレータが点滅箇所のカバー（原稿カバー３ａ）を開けて、原稿詰まりの原稿を取り除くと、図４の（ｂ）の表示に切り替わる。この表示では、原稿詰まりが除去されたので、ジャムを表すアイコンが消え、“カバー確認下さい”と、“点滅箇所のカバーを閉じて下さい”が表示される。また、その表示に併せて、複合機の斜視図において閉じるべきカバー（原稿カバー３ａ）が点滅表示される。オペレータが原稿カバー３ａを閉じれば、待機画面に切り替わる。
【００２７】
また、原稿の両面を読み取る場合で、上記エラー状況▲２▼のときは、図５に示すような表示となる。エラーが発生した当初には、図５の（ａ）のように図４の（ａ）と同じ文字表示がなされるが、複合機の斜視図においては、エラー解除のためには最初にカバーとしてブックカバー７を開けるように促すために、ブックカバー７が点滅表示されるとともに、ブックカバー７を開ける方向の矢印が表示される。オペレータがその表示に従い、ブックカバー７を開けると、図５の（ｂ）の表示に切り替わる。この表示になると、文字表示は図５の（ａ）と変わらないが、次にカバーとして原稿カバー３ａを開けるように促すために、原稿カバー３ａが点滅表示されるとともに、原稿カバー３ａを開ける方向の矢印がブックカバー７及び原稿カバー３ａの図とともに表示される。
【００２８】
オペレータがその表示を見て、原稿カバー３ａを開けると、図５の（ｃ）の表示になる。この表示では、エラー状況としての“原稿づまりです”はそのままであるが、エラーの解除方法として“排出ノブを回して原稿を取り除いて下さい”が表示されるとともに、原稿カバー３ａを開けたときの図と内部の排出ノブを回す方向が矢印で表示される。ここで、オペレータが表示のとおりにして原稿を取り除くと、待機画面になる。しかしながら、オペレータが原稿を取り除かないまま原稿カバー３ａを閉じると、図５の（ｂ）の表示に戻る。
【００２９】
一方、原稿の片面を読み取る場合で、上記エラー状況▲１▼のときは、図６に示す表示となる。図６の（ａ），（ｂ）の表示は、図５の（ａ），（ｂ）の表示と同じなので、説明は省略する。
【００３０】
原稿の片面を読み取る場合で、上記エラー状況▲２▼のときは、図７の表示になる。図７の（ａ）の文字表示は、図５の（ａ）の文字表示と同じであるが、複合機の斜視図においては、エラー解除のためには最初にカバーとして原稿カバー３ａを開けるように促すために、原稿カバー３ａが点滅表示される。そこで、オペレータが原稿カバー３ａを開けると、図７の（ｂ）の表示になる。ここでは、更に原稿カバー３ａ内のカバーを開けるように、そのカバーが点滅表示されるとともに、その開ける方向が原稿カバー３ａの図とともに矢印で表示される。
【００３１】
図７の（ｂ）の表示の時点で、オペレータが原稿詰まりの原稿を除去せずに原稿カバー３ａを閉じると、図７の（ａ）の表示に戻る。図７の（ｂ）の表示に従い、オペレータが原稿カバー３ａ内のカバーを開けて原稿を取り除くと、図７の（ｃ）の表示に切り替わる。この表示では、原稿カバー３ａ内のカバー及び原稿カバー３ａを閉じる旨が文字表示されるとともに、複合機の斜視図における原稿カバー３ａが点滅表示される。オペレータが原稿カバー３ａを閉じると、待機画面に切り替わる。
【００３２】
次に、ＡＤＦ３を用いた原稿読み取りを行うときの動作について、図８のフロー図を参照して説明する。まず、ステップＳＴ１において、検出センサＤＳ１がＯＮになったか否かを判定する。つまり、原稿が原稿供給トレイ６にセットされたか否かを検出センサＤＳ１のＯＮ・ＯＦＦにより判定する。検出センサＤＳ１がＯＮになると、ステップＳＴ２において、ＡＤＦ３による原稿読み取りが開始したか判定する。すなわち、オペレータが操作部４のスタートキーを押したか判定する。
【００３３】
ＡＤＦ３による原稿読み取りが開始すると、ステップＳＴ３において、検出センサＤＳ２がＯＮになったか否かを判定する。つまり、原稿の先端が読取位置に達したかどうか判定する。検出センサＤＳ２がＯＮになったときは、次にステップＳＴ４において、今度は検出センサＤＳ２がＯＦＦになったか否かを、すなわち原稿の後端が読取位置に来たかどうかを判定する。検出センサＤＳ２がＯＦＦになれば、１枚目の原稿の読み取りがエラー無く終了したことになるので、ステップＳＴ５において、ＡＤＦによる原稿読み取りが終了したか判定し、まだの場合は、ステップＳＴ３に戻り、ステップＳＴ３〜ＳＴ５の処理を繰り返し、２枚目以降の原稿の読み取りを続ける。原稿読み取りが終了すれば、当該処理からリターンする。
【００３４】
一方、ステップＳＴ３において、検出センサＤＳ２がＯＦＦのままのときは、スタートキーを押したにもかかわらず、原稿の先端が読取位置まで来ないので、ステップＳＴ６に移行する。ステップＳＴ６においては、表示部５にエラー表示１を表示する。このエラー表示１は上記エラー状況▲１▼に係るものであり、原稿の両面又は片面を読み取る場合に応じて、表示部５の表示が図４又は図６の表示に切り替わる。その後、ステップＳＴ７において、エラーが解除されたか判定し、まだのときは、ステップＳＴ６に戻り、エラー表示１を続ける。エラーが解除されたら、ステップＳＴ１に戻り、改めて原稿が原稿供給トレイ６にセットし直されたかを検出センサＤＳ１のＯＮ・ＯＦＦにより判定し、以降は同様の処理を行う。
【００３５】
また、ステップＳＴ４において、検出センサＤＳ２がＯＦＦにならないときは、原稿の先端は読取位置に来たが、後端が読取位置に来ないので、ステップＳＴ８に移行する。ステップＳＴ８においては、表示部５にエラー表示２を表示する。このエラー表示２は上記エラー状況▲２▼に係るものであり、原稿の両面又は片面を読み取る場合に応じて、表示部５の表示が図５又は図７の表示に切り替わる。その後、ステップＳＴ９において、エラーが解除されたか判定し、まだのときは、ステップＳＴ８に戻り、エラー表示２を続ける。エラーが解除されたら、ステップＳＴ１に戻り、改めて原稿が原稿供給トレイ６にセットし直されたかを検出センサＤＳ１のＯＮ・ＯＦＦにより判定し、以降は同様の処理を行う。
【００３６】
【発明の効果】
以上説明したように、本発明によれば、ＡＤＦでのエラーの状況と、そのエラーの解除方法が表示部に同時に同一画面に並べて表示されるので、オペレータは表示部の表示を見れば、ＡＤＦでのエラー状況と、エラーを解除するために次に取るべき操作を容易に認識できる。
【図面の簡単な説明】
【図１】実施形態に係る原稿読取装置を備えた複合機（コピー装置とファクシミリ装置を兼用するもの）の外観斜視図である。
【図２】同複合機の構成例の一部を示すブロック図である。
【図３】同複合機の構成例の残部を示すブロック図である。
【図４】同複合機のＡＤＦで原稿詰まりが発生したときの表示部の表示（原稿の両面読み取りの場合でエラー状況▲１▼のとき）を示す図である。
【図５】同複合機のＡＤＦで原稿詰まりが発生したときの表示部の表示（原稿の両面読み取りの場合でエラー状況▲２▼のとき）を示す図である。
【図６】同複合機のＡＤＦで原稿詰まりが発生したときの表示部の表示（原稿の片面読み取りの場合でエラー状況▲１▼のとき）を示す図である。
【図７】同複合機のＡＤＦで原稿詰まりが発生したときの表示部の表示（原稿の片面読み取りの場合でエラー状況▲２▼のとき）を示す図である。
【図８】同複合機のＡＤＦを用いた原稿読み取りを行うときの動作を示すフロー図である。
【符号の説明】
１      複合機
２      本体
３      ＡＤＦ
３ａ    原稿カバー
４      操作部
５      表示部
６      原稿供給トレイ
７      ブックカバー
１５    検出センサＤＳ１
１６    検出センサＤＳ２
【図１】
2004187032.tif 000003
【図２】
2004187032.tif 000004
【図３】
2004187032.tif 000005
【図４】
2004187032.tif 000006
【図５】
2004187032.tif 000007
【図６】
2004187032.tif 000008
【図７】
2004187032.tif 000009
【図８】
2004187032.tif 000010